(57)【要約】【課題】  記録された情報の第三者による視認を防止した上で、大量の処理に対応することができるようにする。【解決手段】  台紙カード２０に粘着剤層３０を介して剥離可能に不透明な剥離紙が積層されることによって台紙カード２０に記録された所定の情報が視認不能に被覆されているため、第三者は、当該情報を視認することができず、したがって、カードが製造元（発行元）から使用者の手に渡るまでの間に情報の内容が漏洩してしまうような不都合を確実に防止することができる。【選択図】      図１
0003106711.tif 000002
【実用新案登録請求の範囲】
【請求項１】
所定の情報が記録されたカード本体に感圧粘着剤層を介して不透明な剥離紙が剥離可能に積層されてなることを特徴とするカード。
【請求項２】
予め前記情報が印刷され、且つ表裏に感圧粘着剤層が形成された原紙をジグザグ状で３層に折り畳み、押圧処理で前記感圧接着剤層を介して一体化させた中間原料を打ち抜き処理することにより得られたカードであって、前記カード本体は、前記３層の内の２層で形成され、前記剥離紙は、残りの１層で形成されていることを特徴とする請求項１記載のカード。
【請求項３】
前記原紙の一方の面には強い粘着性能を備えた感圧粘着剤が塗布されている一方、同他方の面には一方の面のものより弱い粘着性能の感圧粘着剤が塗布され、前記３層の内の２層は、強い粘着性能を備えた感圧粘着剤を介して互いに粘着されていることを特徴とする請求項２記載のカード。
【請求項４】
前記中間原料は、帯状の原紙を長手方向の全長に亘って幅方向に３層に折り畳まれたものであることを特徴とする請求項２または３記載のカード。
【請求項５】
所定の台紙に、粘着剤層を介して剥離紙が積層されてなるカード用中間原料を打ち抜き処理することによって得られたカードであり、前記カード本体は、打ち抜き処理されたものの前記台紙の部分によって形成されていることを特徴とする請求項１記載のカード。
【請求項６】
前記台紙および剥離紙は、帯状のものであることを特徴とする請求項５記載のカード。
【請求項７】
前記台紙および剥離紙は、所定サイズの枚葉紙状のものであることを特徴とする請求項５記載のカード。
【請求項８】
郵便葉書大の台紙に粘着剤層を介して剥離紙が積層されてなる中間原料に対し、前記台紙にのみ打ち抜き処理が施されていることを特徴とする請求項５記載のカード。
【請求項９】
前記粘着剤は、感圧粘着剤であることを特徴とする請求項１乃至５のいずれかに記載のカード。
【請求項１０】
前記粘着剤は、感圧粘着剤であることを特徴とする請求項１乃至５のいずれかに記載のカード
【請求項１１】
前記情報は、カード番号およびカード本体の使用者の認識番号と、カード本体の使用方法、各種案内および支払い方法のいずれかとの組み合わせであることを特徴とする請求項１乃至７のいずれかに記載のカード。
【考案の詳細な説明】
【技術分野】
【０００１】
本考案は、所定の情報が記録された、例えばプリペイド用として使用可能なカードに関するものである。
【背景技術】
【０００２】
従来、例えばインターネットの端末機にプリペイドカードを用いて入力処理を行うことにより所定のサービスを得ることができる一方、当該サービス料が予め入金されている金融機関の講座から引き落されるように構成された商取引システムが知られている。かかる商取引システムに使用されるプリペイドカードには、カード番号や使用者の識別番号等の情報が記録されているとともに、場合によっては、カードの使用方法や決済方法等が予め印刷されている。カード番号および使用者の識別番号は、前記商取引システムのホストコンピュータに登録されるようになっている。
【０００３】
そして、登録済みのカードにより所定の端末装置に対して所定の入力処理を行うことによって所定のサービスを受けることができる一方、このサービスに見合った金額が登録されている所定の金融期間の口座から引き落とされるようになされている。
【考案の開示】
【考案が解決しようとする課題】
【０００４】
ところで、このようなカードは、その表面に使用者の個人情報が記載されているため、使用者の手に渡るまでに第三者に見られると、個人情報が漏洩してしまうという不都合が存在する。かかる不都合を防止するために、従来、この種のカードは、各種の情報が記録された直後に封筒などで包装され、この状態で使用者に手渡されたり、あるいは郵送されたりする。
【０００５】
しかしながら、カードを一々封筒に挿入して包装するとなると、かかる包装作業は、カードが大量である場合非常に面倒なものとなり、作業効率が悪く、作業コストが嵩むという問題点が存在した。
【０００６】
本考案は、上記のような問題点を解消するためになされたものであり、記録された情報の第三者による視認を防止した上で、大量の処理に対応することができるカードを提供することを目的としている。
【課題を解決するための手段】
【０００７】
請求項１記載の考案は、所定の情報が記録されたカード本体に粘着剤層を介して剥離可能に剥離紙が積層されることによって前記情報が視認不能に被覆されてなることを特徴とするものである。
【０００８】
この考案によれば、カード本体に記録された所定の情報は、粘着剤層を介してカード本体に積層された剥離紙によって粘着状態で被覆されているため、第三者は、当該情報を視認することができず、したがって、カードが製造元（発行元）から使用者の手に渡るまでの間に情報の内容が漏洩してしまうような不都合が確実に防止される。
【０００９】
また、カードを受け取った使用者は、粘着剤を介してカード本体に粘着された剥離紙を剥がし取ることによってカード本体を得ることができる。因みに、粘着剤は、接着剤と異なり、カード本体に剥離紙を単に粘り付けるものであるため、剥離紙をカード本体から容易に剥がし取ることができる。
【００１０】
請求項２記載の考案は、請求項１記載の考案において、予め前記情報が印刷され、且つ表裏に感圧粘着剤層が形成された原紙をジグザグ状で３層に折り畳み、押圧処理で前記感圧接着剤層を介して一体化させた中間原料を打ち抜き処理することにより得られたカードであって、前記カード本体は、前記３層の内の２層で形成され、前記剥離紙は、残りの１層で形成されていることを特徴とするものである。
【００１１】
この考案によれば、原紙をジグザグ状に３層に折り畳んだ状態で、これに押圧処理を施すことにより、前記３層からなる中間原料は、原紙の表裏に形成された感圧粘着剤層を介して一体化する。この各層が互いに粘着して一体化した中間原料に打ち抜き処理を施すことによって、２層でカード本体が形成され、且つ残りの１層で剥離紙が形成されたカードを得ることができる。
【００１２】
このように、１枚の原紙によってカード本体および剥離紙が形成されるため、カード本体用および剥離紙用として２種類の用紙を採用する必要がなくなり、その分部品点数の削減が実現し、延いては部品コストおよび製造コストの低減化に貢献することができる。
【００１３】
請求項３記載の考案は、請求項２記載の考案において、前記原紙の一方の面には強い粘着性能を備えた感圧粘着剤が塗布されている一方、同他方の面には一方の面のものより弱い粘着性能の感圧粘着剤が塗布され、前記３層の内の２層は、強い粘着性能を備えた感圧粘着剤を介して互いに粘着されていることを特徴とするものである。
【００１４】
この考案によれば、強い延着性能を備えた感圧粘着剤によって互いに粘着された２層によってカード本体を形成するとともに、弱い粘着性能の感圧粘着剤によって延着される残りの１層で剥離紙を形成することにより、カード本体は容易に分離しない２層によって丈夫に形成されるとともに、剥離紙は、カード本体から剥離し易いものとなる。
【００１５】
請求項４記載の考案は、請求項２または３記載の考案において、前記中間原料は、帯状の原紙を長手方向の全長に亘って幅方向に３層に折り畳まれたものであることを特徴とするものである。
【００１６】
この考案によれば、例えば帯状の中間原料が巻き取られることによって形成された原料ロールから中間原料を引き出しながら当該中間原料に連続的に打ち抜き処理を施すことにより、カードを連続的に製造することができる。このように、中間原料を帯状の長尺なものとすることにより、中間原料はカードの大量生産の原料として好適なものになる。
【００１７】
請求項５記載の考案は、請求項１記載の考案において、所定の台紙に、粘着剤層を介して剥離紙が積層されてなるカード用中間原料を打ち抜き処理することによって得られたカードであり、前記カード本体は、打ち抜き処理されたものの前記台紙の部分によって形成されていることを特徴とするものである。
【００１８】
この考案によれば、台紙として規格紙を使用することにより、カードのサイズに拘らず標準的な印刷装置を用いて台紙のカードとなるべき部分に所定の印刷処理を施すことが可能になり、カード本体への印刷処理が汎用性に富んだものになる。かかる印刷処理の完了した台紙に粘着剤層を介して剥離紙を積層して中間原料を形成させ、この中間原料に打ち抜き処理を施すことにより、三層構造（台紙層、粘着剤層および剥離紙層）のカードが容易に得られる。
【００１９】
請求項６記載の考案は、請求項５記載の考案において、前記台紙および剥離紙は、帯状のものであることを特徴とするものである。
【００２０】
この考案によれば、帯状の台紙で予め台紙ロールを形成させるとともに、帯状の剥離紙で予め剥離紙ロールを形成させておき、台紙ロールを引き出しつつ印刷処理を施した後に、印刷処理の完了した台紙に剥離紙ロールから引き出した剥離紙を積層していくことにより、帯状の中間原料が得られる。この帯状の中間原料に順次打ち抜き処理を施していくことにより、カードが得られる。そして、かかる印刷処理、積層処理および打ち抜き処理を順次行うことにより、カードが連続的に製造される。
【００２１】
請求項７記載の考案は、請求項５記載の考案において、前記台紙および剥離紙は、所定サイズの枚葉紙状のものであることを特徴とするものである。
【００２２】
この考案によれば、枚葉紙状の台紙に対して１枚ずつ印刷処理を施した後に、印刷処理の完了した台紙に枚葉紙状の剥離紙を順次積層していくことにより、中間原料の束が得られる。この束の１枚ずつに順次打ち抜き処理を施していくことにより、カードが得られる。このように、印刷処理および積層処理と、打ち抜き処理とを別々に実行することが可能になるため、印刷処理および積層処理と、打ち抜き処理とをそれぞれ他とは独立した処理とすることができ、カードを製造する上での汎用性が向上する。
【００２３】
請求項８記載の考案は、請求項５記載の考案において、郵便葉書大の台紙に粘着剤層を介して剥離紙が積層されてなる中間原料に対し、前記台紙にのみ打ち抜き処理が施されていることを特徴とするものである。
【００２４】
この考案によれば、台紙が郵便葉書大であるため、当該台紙に剥離紙を積層した積層シート（中間原料）を郵便葉書として使用者に郵送することができ、これによって郵送事務が簡素化される。また、積層シートの内の台紙にのみ打ち抜き処理が施されているため、この積層シートを受け取った使用者は、剥離紙を剥がした状態で台紙からカード本体を外すことにより、カードを得ることができる。
【００２５】
請求項９記載の考案は、請求項１乃至５のいずれかに記載の考案において、前記粘着剤は、感圧粘着剤であることを特徴とするものである。
【００２６】
この考案によれば、台紙の粘着剤層に剥離紙を積層した状態でこれらに押圧ローラ対の間を潜らせる等の押圧処理を施すことにより、台紙と剥離紙とは粘着剤層を挟んで互いに粘着されて一体化する。
【００２７】
請求項１０記載の考案は、請求項１乃至５のいずれかに記載の考案において、前記粘着剤は、感圧粘着剤であることを特徴とするものである。
【００２８】
この考案によれば、台紙の粘着剤層に剥離紙を積層した状態でこれらに例えば押圧ローラ対の間を通過させる等の押圧処理を施すことにより、台紙と剥離紙とは粘着剤層を挟んで互いに粘着されて一体化する。
【００２９】
請求項１１記載の考案は、請求項１乃至７のいずれかに記載の考案において、前記情報は、カード番号およびカード本体の使用者の認識番号と、カード本体の使用方法、各種案内および支払い方法のいずれかとの組み合わせであることを特徴とするものである。
【００３０】
この考案によれば、カード本体は、プリペイドカードとして必要かつ充分な情報が付与されたものになる。
【考案の効果】
【００３１】
本考案に係るカードによれば、所定の情報が記録されたカード本体に粘着剤層を介して剥離可能に剥離紙が積層されることによって前記情報が視認不能に被覆されているため、第三者は、当該情報を視認することができず、したがって、カードが製造元（発行元）から使用者の手に渡るまでの間に情報の内容が漏洩してしまうような不都合を確実に防止することができる。
【００３２】
また、カードを受け取った使用者は、粘着剤を介してカード本体に粘着された剥離紙を剥がし取ることによってカード本体を得ることができる。
【考案を実施するための最良の形態】
【００３３】
図１は、本考案に係るカードの一実施形態を示す斜視図であり、（イ）は、分解斜視図、（ロ）は、一部切欠き組立て斜視図である。図１に示すように、カード１０は、本実施形態においては、横寸法が略８５ｍｍで縦寸法が略５４ｍｍに寸法設定された矩形状に形成されている。かかるカード１０は、台紙カード（カード本体）２０と、この台紙カード２０に塗布されることによって当該台紙カード２０に積層された粘着剤層３０と、この粘着剤層３０にさらに積層される剥離紙４０とからなる三層構造で構成されている。
【００３４】
前記台紙カード２０は、通常の厚紙（例えば秤量が略１００ｇ／ｍ２のもの）が採用され、これによって通常の取り扱いでは容易に曲折されることはなく、携帯用のプリペイドカードとして機能するようになされている。
【００３５】
前記粘着剤層３０は、台紙カード２０の表面に感圧粘着剤が塗布されることによって形成されている。感圧粘着剤としては、アクリル酸エステルを主成分としたアクリル系のものや、ほとんど飽和した分子構造を有するポリイソブチレン系のもの等が採用される。かかる感圧粘着剤であって所定の溶剤で希釈されたものが台紙カード２０の表面に塗布されることにより粘着剤層３０が形成されている。このようにして形成された粘着剤層３０は、通常の状態では粘着力は発揮されないが、粘着対象物が積層された状態で加圧されることにより粘着性能が発揮されるように調製されている。
【００３６】
前記剥離紙４０は、通常の不透明な用紙の前記粘着剤層３０に対する対向面に易剥離処理が施されることにより形成されている。易剥離処理としては、用紙の片面に例えばシリコーン系樹脂やフッ素系樹脂等の剥離剤を塗布する方法を挙げることができる。このようにして形成された剥離紙４０の易剥離処理面を粘着剤層３０に積層した状態で、例えば押圧ローラ対間を通過させることにより、図１の（ロ）に示すような、台紙カード２０、粘着剤層３０および剥離紙４０からなる三層構造のカード１０が形成される。
【００３７】
なお、剥離紙４０としてこのような易剥離処理を施したものを採用しなくても、台紙カード２０に粘着性能の低い感圧粘着剤が採用され、かつ、剥離紙４０にも台紙カード２０と同様の粘着性能の低い感圧粘着剤が塗布されている場合には、剥離紙４０を台紙カード２０から容易に引き剥がすことができる。この場合、前記とは逆に剥離紙４０の粘着剤層３０に対する対向面に粘着剤層３０と同様の弱い感圧粘着剤が塗布されていてもよい。こうすることによって積極的に剥離剤を用いた場合に比較して僅かに剥離紙４０の剥離が困難になるが、不用意に剥離紙４０がめくられることがなく、この点で有用である。
【００３８】
また、本実施形態においては、剥離紙４０が粘着剤層３０に積層された状態で、一隅部（図１の（ロ）に示す例では左下の隅部）に斜めに切込み線４１が設けられ、この切込み線４１を指掛かりにして剥離紙４０を粘着剤層３０から容易に剥がし得るようにしている。図２は、剥離紙４０が台紙カード２０から矢印方向へ向けて剥がされつつある状態を示している。
【００３９】
図３は、台紙カード２０の片面（粘着剤層３０が形成される面）に記録（印刷）された情報の一例を示す図である。この図に示すように、台紙カード２０には、その上部位置に使用者特定用の認識番号を記載するためのＩＤ番号欄２１が設けられているとともに、このＩＤ番号欄２１の左下方位置に「アクセスのしかた」とタイトルの付されたアクセス方法説明欄２２が設けられている。また、このアクセス方法説明欄２２の右方位置には、「プリペイドカードの使い方」とタイトルの付されたカード使用方法説明欄２３が設けられている。さらに、カード使用方法説明欄２３の下方位置には、「ＣＡＲＤ  ＮＯ．」とタイトルの付されたカード番号欄２４が設けられている。
【００４０】
これらのＩＤ番号欄２１、アクセス方法説明欄２２、カード使用方法説明欄２３およびカード番号欄２４は、剥離紙４０によって覆われた状態で使用者に渡されるため、第三者がこれらの欄に記載されている情報を事前に視認することができず、したがって、発行されたカード１０が使用者の手に渡るまでの間に個人情報が漏洩する虞はない。
【００４１】
因みに、図４は、台紙カード２０の表面（粘着剤層３０が形成される面の反対側の面）側に印刷された図形（デザイン画）の一例を示す図である。図４に示すように、台紙カード２０の表面側には、所定のデザイン画が印刷されているとともに、先のカード番号欄２４と同様の表面側カード番号欄２５が設けられ、この表面側カード番号欄２５には、先の裏側のカード番号欄２４と同一の番号が印刷されている。
【００４２】
図５は、カード１０の製造方法の第１実施形態を概念的に示した斜視図である。この図に示すように、カード１０は、帯状原紙５０を原料として製造される。この帯状原紙５０には、予め所定の印刷処理が施されているとともに、表面側に通常の感圧粘着剤が塗布され、裏面側に強力な感圧粘着剤が塗布され、しかも長手方向に所定のピッチでそれぞれ帯状原紙５０を横断するようにミシン目５１が設けられている。
【００４３】
かかる帯状原紙５０は、後述の折込機６１により３層になるように折り込み処理が施され、強力な感圧粘着剤が塗布された裏面側同士が粘着されることによってカード１０の台紙カード２０に対応する部分が形成される一方、通常の感圧粘着剤が塗布された表面側同士が粘着されることにより、カード１０の剥離紙４０側が形成されるようになっている。したがって、この実施形態で製造されるカード１０においては、剥離紙４０に剥離剤の塗布が行われていない。
【００４４】
このような帯状原紙５０が巻き取られて原紙ロール５２とされ、帯状原紙５０がこの原紙ロール５２から引き出されて積層枚葉紙製造装置６０へ供給されるようになっている。
【００４５】
積層枚葉紙製造装置６０は、緩衝材本体領域５０を３層に折り込む折込機６１と、この折込機６１から送り出された帯状折込紙５０１に圧着処理を施す押圧ローラ対６２と、この押圧ローラ対６２により押圧されることによって圧着された帯状折込紙５０１に対してミシン目５１に沿って切断処理を施す切断機６３とを備えて構成されている。
【００４６】
前記押圧ローラ対６２は、下方に向かって押圧力を付与する押圧ローラ６２１と、この押圧ローラ６２１の押圧力を受ける受圧ローラ６２２とからなり、前記３層に折り込まれた帯状原紙５０は、押圧ローラ６２１および受圧ローラ６２２間に導入され、これによって粘着剤層３０を介して一体化して１枚物となる。
【００４７】
この１枚物になった３層構造の帯状原紙５０は、つぎの切断機６３においてミシン目５１から切断され、３層枚葉紙５０２が順次製造される。
【００４８】
このようにして製造された３層枚葉紙５０２は、積層枚葉紙製造装置６０とはオフラインで設けられている裁断機７０に供給される。前記裁断機７０は、前記３層枚葉紙５０２に対して裁断処理を施すものであり、この３層枚葉紙５０２は、図略の打ち抜き刃の上下動による打ち抜き処理によって裁断され、これによってカード１０が順次形成される。このようにして得られたカード１０が商品として出荷される。
【００４９】
なお、この実施形態で得られたカード１０において、台紙カード２０は、折込機６１で折り返された帯状原紙５０の左右のものが強力な感圧粘着剤を介して互いに強力に粘着され、これによって厚手の用紙を採用したのと同様に腰の強いものになっているため、プレペイドカードとしての使用に耐えるものとすることができる。
【００５０】
図６は、カード１０の製造方法の第２実施形態を概念的に示した斜視図である。この実施形態は、第１実施形態の改良タイプのものであり、一旦３層枚葉紙５０２を製造するようなことはせずに帯状原紙５０から一気にカード１０を製造するものである。
【００５１】
すなわち、折込機６１で折り込まれることによって形成された帯状の３層原料は、切断処理が施されることなく裁断機７０に直接導入され、ここで所定の裁断処理によりカード１０が製造されるのである。第２実施形態の製造方法によれば、一旦３層枚葉紙５０２を製造しない分工程が簡素化され、設備コストの低減化に貢献することができる。
【００５２】
図７は、カード１０の製造方法の第３実施形態を概念的に示した斜視図である。この実施形態においては、カード１０は、帯状台紙５３および帯状剥離紙５４が原料として使用される。帯状台紙５３は、予めその片面（図７における上面）に粘着剤層３０の積層されたものが使用される。かかる帯状台紙５３および帯状剥離紙５４は、予め巻き取られて台紙ロール５３１および剥離紙ロール５４１とされ、これらのロール５３１，５４１から帯状台紙５３および帯状剥離紙５４が同時に同期しながら引き出されてカード製造装置に供給されるようになっている。
【００５３】
カード製造装置８０は、印刷機８１と、この印刷機８１の下流側に配設された押圧ローラ対８２と、この押圧ローラ対８２の下流側に配設された裁断機８３とを備えて構成されている。印刷機８１は、台紙ロール５３１から引き出されて順次搬送されてくる帯状台紙５３に設定された印刷領域の表裏面の適所に印刷処理を施すものであり、一方の片面（図７の上面）には所定の地模様の印刷が施されるとともに、前記ＩＤ番号欄２１、アクセス方法説明欄２２、カード使用方法説明欄２３およびカード番号欄２４に所定の文字や記号が所定ピッチ（前記印刷領域のピッチ）で順次印刷処理される。これによって帯状台紙５３の各印刷領域の後に台紙カード２０になる部分に印刷処理が施されることになる。
【００５４】
前記押圧ローラ対８２は、下方に向かって押圧力の付与される押圧ローラ８２１と、この押圧ローラ８２１の押圧力を受ける受圧ローラ８２２とからなり、前記印刷処理が完了した帯状台紙５３は、剥離紙ロール５４１から引き出された帯状剥離紙５４が積層された状態で、前記押圧ローラ８２１および受圧ローラ８２２間に導入され、これによって粘着剤層３０を介して積層状態の帯状台紙５３および帯状剥離紙５４に押圧力が加えられるようになっている。かかる押圧処理によって帯状台紙５３と帯状剥離紙５４とは粘着剤層３０の粘着力で一体化されてカード用中間原料５３２となる。
【００５５】
前記裁断機８３は、前記カード用中間原料５３２に対して裁断処理を施すものであり、押圧ローラ対８２で得られたカード用中間原料５３２は、この裁断機８３を通過するに際して図略の打ち抜き刃の上下動による打ち抜き処理によって裁断され、これによってカード１０が順次形成される。
【００５６】
本考案に係るカード１０は、以上詳述したように、台紙カード２０に粘着剤層３０を介して剥離可能に剥離紙が積層されることによって台紙カード２０に記録された所定の情報が視認不能に被覆されているため、第三者は、当該情報を視認することができず、したがって、カードが製造元（発行元）から使用者の手に渡るまでの間に情報の内容が漏洩してしまうような不都合を確実に防止することができる。
【００５７】
また、カードを受け取った使用者は、粘着剤層３０を介して台紙カード２０に粘着された剥離紙４０を剥がし取ることによって台紙カード２０を得ることができる。因みに、粘着剤層３０に用いられる粘着剤は、接着剤と異なり、台紙カード２０に剥離紙４０を単に粘り付けるものであるため、剥離紙４０を台紙カード２０から容易に剥がし取ることができる。
【００５８】
また、本実施形態においては、カード１０は、複数の領域における台紙カード２０に対応した部分にそれぞれ固有の前記情報が印刷された帯状台紙５３に、粘着剤層３０を介して剥離紙４０が積層されてなるカード用中間原料５３２を打ち抜き処理することによって形成されるようにしているため、帯状台紙５３で予め台台紙ロール５３１を形成させるとともに、帯状の剥離紙４０で予め剥離紙ロール５４１を形成させておき、台紙ロール５３１を引き出しつつ印刷処理を施した後に、印刷処理の完了した帯状台紙５３に剥離紙ロール５４１から引き出した剥離紙４０を積層していくことにより、帯状のカード用中間原料５３２を得ることができる。
【００５９】
そして、この帯状のカード用中間原料５３２に順次打ち抜き処理を施していくことにより、連続的にカード１０を得ることができる。このように、カード１０の原料として帯状台紙５３および帯状剥離紙５４を用いることにより、カード１０の製造が大量生産に適したものになる。
【００６０】
また、粘着剤層３０を形成させるために使用される粘着剤として感圧粘着剤が使用されているため、台紙の粘着剤層３０に剥離紙４０を積層した状態でこれらに押圧ローラ対の間を潜らせる等の押圧処理を施すことにより、台紙と剥離紙４０とは粘着剤層３０を挟んで互いに粘着されて一体化させることが可能になり、台紙カード２０と剥離紙４０との一体化処理が容易になる。
【００６１】
本考案は、上記の実施形態に限定されるものではなく、以下の内容をも包含するものである。
【００６２】
（１）上記の第３実施形態においては、帯状台紙５３として予め粘着剤層３０が形成されているものを使用し、この粘着剤層３０側に印刷処理を施しているが、本考案は、予め粘着剤層３０の形成された帯状台紙５３を使用することに限定されるものではなく、帯状台紙５３に印刷処理を施したのち当該印刷面に粘着剤を塗布して粘着剤層３０を形成させるようにしてもよい。
【００６３】
（２）上記の第１〜第３実施形態においては、カード１０の原料として帯状台紙５３および帯状剥離紙５４を採用しているが、本考案は、帯状台紙５３および帯状剥離紙５４を原料としてカード１０を製造することに限定されるものではなく、枚葉紙状台紙および枚葉紙状剥離紙を原料としてカード１０を製造してもよい。この場合は、枚葉紙状台紙に対して１枚ずつ印刷処理を施した後に、印刷処理の完了した台紙に枚葉紙状剥離紙を順次積層していくことにより、まず、枚葉紙状のカード用中間原料５３２の束を得る。この束の１枚ずつに順次打ち抜き処理を施していくことにより、カード１０を得ることができる。
【００６４】
そして、枚葉紙状台紙および枚葉紙状剥離紙を原料とすることにより、印刷処理および積層処理と、打ち抜き処理とを別々に実行することが可能になるため、印刷処理および積層処理と、打ち抜き処理とをそれぞれ他とは独立した処理とすることができ、カードを製造する上での汎用性を向上させることができる。
【００６５】
（３）上記の実施形態において、帯状原紙５０または帯状台紙５３に設定される各印刷用の一領域を郵便葉書大のサイズに設定してもよい。こうすることによって、押圧処理後の帯状折込紙５０１またはカード用中間原料５３２が得られた後に領域間の境界線（第１実施形態の場合はミシン目５１）に沿って当該台カード用中間原料５３２を裁断することにより、郵便葉書大の積層シートが得られるため、この積層シートをカードの使用者に郵便葉書として郵送することができ、これによって郵送事務を簡素化することができる。この積層シートを受け取った使用者は、剥離紙４０を剥がした上で、台紙から台紙カード２０の部分を切り取ることでカードを得ることができる。なお、台紙のカード部分の縁部に予め打ち抜き処理を施しておけば、剥離紙４０を剥がした状態で切り取り操作を行うことなく台紙から台紙カード２０を抜き散ることができ非常に便利である。
【００６６】
（４）上記の実施形態においては、台紙カード２０に積層される粘着剤として感圧粘着材が採用されているが、本考案は、粘着材が感圧粘着剤であることに限定されるものではなく、感熱粘着剤であってもよい。この場合には、台紙の粘着剤層３０に剥離紙４０を積層した状態でこれらに熱ローラ対の間を潜らせる等の加熱処理を施すことにより、台紙と剥離紙４０とは粘着剤層３０を挟んで互いに粘着されて一体化する。
【００６７】
因みに、感熱粘着剤としては、酢酸ビニル系のもの、ポリエステル系のもの、ポリウレタン系のもの、オレフィン系のもの等の熱可塑性合成樹脂をベースにした粘着剤を挙げることができる。
【図面の簡単な説明】
【００６８】
【図１】本考案に係るカードの一実施形態を示す斜視図であり、（イ）は、分解斜視図、（ロ）は、一部切欠き組立て斜視図である。
【図２】剥離紙が台紙カードから矢印方向へ向けて剥がされつつある状態を示す斜視図である。
【図３】台紙カードの片面（粘着剤層が形成される面）に記録（印刷）された情報の一例を示す図である。
【図４】台紙カードの表面（粘着剤層が形成される面の反対側の面）側に印刷された図形（デザイン画）の一例を示す図である。
【図５】カードの製造方法の第１実施形態を概念的に示した斜視図である。
【図６】カードの製造方法の第２実施形態を概念的に示した斜視図である。
【図７】カードの製造方法の第３実施形態を概念的に示した斜視図である。
【符号の説明】
【００６９】
１０  カード                  ２０  台紙カード
２１  ＩＤ番号欄              ２２  アクセス方法説明欄
２３  カード使用方法説明欄    ２４  カード番号欄
２５  表面側カード番号欄      ３０  粘着剤層
４０  剥離紙                  ４１  切込み線
５０  帯状原紙                ５０１  帯状折込紙
５０２  ３層枚葉紙            ５１  ミシン
５２  原紙ロール              ５３  帯状台紙
５３１  台紙ロール            ５３２  カード用中間原料
５４  帯状剥離紙              ５４１  剥離紙ロール
６０  積層枚葉紙製造装置      ６１  折込機
６２  押圧ローラ対            ６２１  押圧ローラ
６２２  押圧ローラ対          ６３  切断機
７０  裁断機                  ７１  印刷機
７２  押圧ローラ対            ７３  裁断機
８０  カード製造装置          ８１  印刷機
８２  押圧ローラ対            ８２１  押圧ローラ
８２２  受圧ローラ            ８３  裁断機
【図１】
0003106711.tif 000003
【図２】
0003106711.tif 000004
【図３】
0003106711.tif 000005
【図４】
0003106711.tif 000006
【図５】
0003106711.tif 000007
【図６】
0003106711.tif 000008
【図７】
0003106711.tif 000009